(57)【要約】【課題】  鍋敷きとしての要求機能と運び盆としての要求機能をバランスよく実現させた樹脂製の鍋敷き兼用運び盆を提供する。【解決手段】  熱硬化性樹脂材料から一体成形した略楕円形の盆体外形を採用し、盆体上に載せた調理器具から盆体の長軸方向の両端部の２箇所が側方に突出するように寸法設定するとともに、調理器具を取り扱うための指掛け凹部と、盆体自体を取り扱うための取っ手とを盆体の長軸方向の両端部に上下に重なった状態で形成することによって、これらを独立に設けるスペースを省略し、鍋敷きに要求されるコンパクト性と運び盆に要求される配膳作業上の操作性とを両立させる。【選択図】  図１
2010172443.tif 000002
【特許請求の範囲】
【請求項１】
熱硬化性樹脂材料から略楕円形の平面形状を有するように一体成形される樹脂製の盆体であって、
前記盆体の表面には、盆体の中央位置に調理器具の底部等を落とし込むための円形の平面形状を有する窪み面である中央凹部を形成するとともに、盆体の長軸方向の２箇所に前記中央凹部から放物線形に突出し、前記中央凹部に連続する１対の指掛け凹部を形成し、
前記中央凹部には、調理器具の底部等を浮かした状態で支持する複数の支持リブまたは支持突起を形成するとともに、前記中央凹部の裏面に環状の脚リブを形成し、
前記盆体の周縁部には、前記中央凹部を取り囲むように帯状側面を形成してなり、
前記指掛け凹部は、盆体の外周部に向かって浅くなるように形成されるとともに、前記帯状側面は、前記１対の指掛け凹部に対応する２箇所に切欠き部を形成することによって盆体自体の取っ手としてなり、
前記脚リブと前記帯状側面の下端面とは略同一平面状に位置し、前記盆体は、前記脚リブと前記帯状側面とによってテーブル等の上に安定に静置可能であって、静置された盆体は、前記帯状側面の２箇所に形成した前記切欠き部を介して前記指掛け凹部の裏面に指を掛けて取り持つことができるとともに、盆体上に載せられた調理器具は、前記指掛け凹部を介して調理器具に指を掛けて盆体から独立して取り持つことができること、を特徴とする
樹脂製の鍋敷き兼用運び盆。
【発明の詳細な説明】
【技術分野】
【０００１】
本発明は、加熱調理を食器に盛り付けることなく、調理に用いた土鍋や調理用鉄板等の調理器具とともに食卓に提供する際に、高温状態の土鍋や調理用鉄板を載せて配膳作業をするとともに、食卓上に置いて、そのまま鍋敷きとして利用することができる樹脂製の鍋敷き兼用運び盆に関する。
【背景技術】
【０００２】
調理の食感や食味の良し悪しは、食事に際しての調理の温度と深い関係がある。例えば、鍋物や焼肉、焼きギョーザ、鉄板焼き等の調理物は、冷えないうちに食することによって本来のおいしさを発揮することができる。このような調理物においては、調理物を冷えないようにして食卓に提供する手段として、十分な肉厚をもたせた熱容量の大きい調理器具を用いて調理を実施し、これを食器に盛り付けることなく調理器具ごと食卓に提供する方法が採られる。
【０００３】
ところが、このような使用の仕方を予定した調理器具には、実用的な大きさの取っ手を備えないものが多い。その理由としては、例えば、鍋を囲んで多数人で食事をする際において、大きな取っ手は、障害となる上、視覚的に食卓の雰囲気を損ねるからである。このことは、調理用鉄板においても同様である。したがって、これらの調理器具においては、食卓への配膳作業に危険が伴うという問題があり、また、食卓上に直接置いた場合に、食卓の表面やテーブルクロスを熱損してしまうという問題がある。
【０００４】
上記問題に対しては、一般家庭では、テーブル上に前もって鍋敷きを準備しておき、調理用手袋または濡れ布巾を使用して調理器具をテーブル上に配膳する方法や、調理器具を一旦運び盆に載せてテーブルにまで運び、次いで準備しておいた鍋敷き上に載せ替える方法が採られることが多い。したがって、このような用途に使用する鍋敷き（例えば、特許文献１，２，３）や運び盆（例えば、特許文献４，６参照）の提案例はすこぶる多い。
【０００５】
これらの提案例のうち、鍋敷きに関しては、形態の異なる複数種の調理器具や食器に対応することができるように工夫されている。一方、運び盆に関しては、複数種の調理器具や食器に対応することができるような余裕を持ったサイズの丸盆または角盆を基本として、これらに何らかの工夫を付加した提案内容である。
【０００６】
さらには、鍋敷きと運び盆とを兼ねるように工夫した例も見られる（特許文献５参照）。この提案例のように、鍋敷きと運び盆は、兼用可能であることが使用上極めて便宜であるが、この場合には、テーブル上に置いた場合の占有面積を最小限に抑えなければならないという鍋敷きに対する要求と、大小多種類の調理用具を安全に運搬しなければならないという運び盆に対する要求との双方を、食卓の雰囲気を害さない範囲内において充足することが求められることとなるが、例示の先行技術から見ても、双方の要求を同時に満たすことの困難性が窺える。
【先行技術文献】
【特許文献】
【０００７】
【特許文献１】実用新案公告第１０２２号公報（大正１１年）
【特許文献２】大正１３年実用新案出願公告第８８９号公報
【特許文献３】大正１５年実用新案出願公告第２６０５８号公報
【特許文献４】実公昭１３−３１４号公報
【特許文献５】実公昭３１−１３０６６号公報
【特許文献６】実公昭５９−１１４０７７号公報
【発明の概要】
【発明が解決しようとする課題】
【０００８】
本発明は、鍋敷き兼用運び盆を提供するものであるが、この際においては次のような諸点が課題となった。
【０００９】
（１）鍋敷きとしては、テーブル上に占める面積を抑えるとともに、目立たないものとするために、調理器具の下に隠れる程度の大きさの薄い板状のものが理想であるが、この場合には、運び盆としての機能が失われるため、少なくとも両手を掛ける部分が調理器具の底部から側方に膨出するような外形を考案すること。ただし、一般家庭においては、多種類の調理器具用に適用する必要があることから、家庭用大鍋サイズに対応することができる余裕があること。
（２）扱う調理器具のサイズの違いによって目立つ場合が避けられないことから、十分な高級感を演出することができる材質およびデザインとすること。
（３）鍋類ばかりでなく、調理用鉄板にも適合性を有すること。
（４）調理器具が有することがある温度に余裕を持って耐え、かつ熱伝導率が小さな材質が採用されること。
（５）調理が入った状態の鉄鍋、土鍋の重さに十分耐える剛性が確保されること（６）調理器具を載せての取扱い性のみならず、調理器具のみを独立に取り扱う場合の取扱い性にも不便がないこと。
（７）煮汁等が含浸せず、洗浄性がよいこと。
（８）上記多様な要求特性を同時に充足することができる形状等を、実現することができる成形可能性を有する材質と成形手段を決定すること。
【００１０】
すなわち、本発明は、上記課題を達成した鍋敷き兼用運び盆を提供することを目的とする。
【課題を解決するための手段】
【００１１】
上記目的を達成するための手段として本発明は、次のような構成を採用する。
【００１２】
本発明の樹脂製の鍋敷き兼用運び盆は、熱硬化性樹脂材料から略楕円形の平面形状を有するように一体成形される樹脂製の盆体であって、盆体の表面には、盆体の中央位置に調理器具の底部等を落とし込むための円形の平面形状を有する窪み面である中央凹部を形成するとともに、盆体の長軸方向の２箇所に中央凹部から放物線形に突出し、中央凹部に連続する１対の指掛け凹部を形成し、中央凹部には、調理器具の底部等を浮かした状態で支持する複数の支持リブまたは支持突起を形成するとともに、中央凹部の裏面に環状の脚リブを形成し、盆体の周縁部には、中央凹部を取り囲むように帯状側面を形成してなり、この際、指掛け凹部は、盆体の外周部に向かって浅くなるように形成されるとともに、帯状側面は、１対の指掛け凹部に対応する２箇所に切欠き部を形成することによって盆体自体の取っ手としてなり、また、中央凹部の裏面に形成した脚リブと帯状側面の下端面とは略同一平面状に位置し、盆体は、脚リブと帯状側面とによってテーブル等の上に安定に静置可能であって、静置された盆体は、帯状側面の２箇所に形成した切欠き部を介して指掛け凹部の裏面に指を掛けて取り持つことができるとともに、盆体上に載せられた調理器具は、指掛け凹部を介して調理器具に指を掛けて盆体から独立して取り持つことができることを特徴とする。
【００１３】
すなわち、上記構成を有する鍋敷き兼用運び盆は、熱硬化性樹脂材料から一体成形されているので、たとえば、通称「鉄板焼き」として提供されるステーキの鉄板のように、加熱された調理器具が１００度以上の温度である場合であっても、余裕をもって耐えることができる。また、樹脂材料の一般的特性として熱伝導率が金属や陶器に較べて格段に小さいため、配膳作業の安全性を確保することができる。さらに、材質上、煮汁/調味料等が零れても滲み込むおそれはなく、洗浄作業も容易である。また、樹脂材料は、離型に支障がない範囲で自由な形状が採用可能であることから、多様な要求を同時に満たす複雑な外形を採用することができる。
【００１４】
具体的な、鍋敷き兼用運び盆の形状としては、略楕円形の平面形状が採用されている。このような形状は、中央部分が調理器具の下に隠れるように寸法設定した場合であっても、長軸方向の両端が外部に現れ、この部分を取っ手とすることができるので、鍋敷きとしての小形の要求と運び盆としての安定な取扱い性の要求をコンパクトな外形において両立させることができる。
【００１５】
盆体の中央位置に形成された円形平面形状の中央凹部は、調理器具の底部等を落とし込んで、配膳作業に際しての調理器具の滑りを防止することができる。この際、調理器具は、中央凹部に形成する複数の支持リブまたは支持突起によって、線状接触または多点支持され、盆体への熱伝導を最小限に抑えることができる。
【００１６】
調理器具を載せた盆体は、中央凹部の裏面に形成する環状の脚リブと、盆体の周縁部に形成する帯状側面の下端面とによって食卓上に安定に静置可能することができる。脚リブと帯状側面の下端面とが略同一平面上に位置しているからである。また、帯状側面は、盆体の全体剛性を高めるように機能するとともに、盆体に視覚上の厚みを与えて高級感をもたせることができる。
【００１７】
なお、盆体の長軸方向の２箇所には、中央凹部から放物線形に突出して中央凹部に連続する１対の指掛け凹部が形成されており、この部分から指を挿入することによって取っ手を備えない調理用鉄板等を盆体から独立して取り持つことができる。また、指掛け凹部に対応する盆体の長軸方向の２箇所は、帯状側面を切り欠くことによって盆体自体の取っ手とされ、食卓上に静置された盆体は、この部分から指掛け凹部の裏面に指を掛けて取り持つことができる。
【００１８】
すなわち、盆体上の調理器具を取り扱うための指掛け凹部と盆体自体を取り扱うための取っ手とは、盆体の長軸方向の２箇所の同じ位置に上下に重なった状態で形成され、このことが、盆体の取扱い性を害することなく盆体の外形をコンパクトに抑えることに大きく貢献しているのである。
【発明の効果】
【００１９】
本発明の鍋敷き兼用運び盆は、熱硬化性樹脂材料の採用によって、加熱状態の調理器具を扱うために必要とされる耐熱性および支持リブの形状に基づく放熱性の向上によって安全性を確保するとともに、長軸方向の両端部が調理器具の底部から側方に突出する略楕円形の盆体外形を採用し、その盆体の長軸方向の両端部の２箇所に、それぞれ調理器具を取り扱うための指掛け凹部と、盆体自体を取り扱うための取っ手とを上下に重なった状態で形成することによって、これらを独立に設けるスペースを省略し、鍋敷きに要求されるコンパクト性と運び盆に要求される配膳作業上の操作性とを両立させている。
【００２０】
また、脚リブと下位置となった盆体の中央凹部とが嵌め込まれると同時に、帯状側面の下端面は下位置となった盆体の肩部に被さるように嵌り込むので、盆体の積み上げの安定性があり、しかもこの帯状側面には幅を有しているから全体剛性を向上させている。
【図面の簡単な説明】
【００２１】
【図１】本発明の鍋敷き兼用運び盆の実施の形態を示す斜視図である。
【図２】図１のＡ矢視正面図である。
【図３】図１のＢ矢視側面図である。
【図４】図１のＸ−Ｘ線矢視断面図である。
【図５】図１のＹ−Ｙ線矢視断面図である。
【図６】図１のＸ−Ｘ線矢視断面図を用いた使用状態説明図である。
【発明を実施するための形態】
【００２２】
以下、図面を引用しながら本発明の鍋敷き兼用運び盆の実施例を説明する。
【実施例】
【００２３】
鍋敷き兼用運び盆は、メラミン樹脂から一体成形された単一の盆体９０からなる（図１）。なお、同図には、調理器具１０の例として異形のフランジＡ２を備えた焼き物用の調理用鉄板１Ａを図示している。
【００２４】
盆体９０は、略楕円形の平面形状に形成され、長軸方向の長さが３４ｃｍ、短軸方向の幅が２４ｃｍに寸法設定されている。このサイズは、面積としてはＡ４サイズ用紙と同等であり、鍋敷きとして食卓上に占める面積としては、許容できる範囲である。また、一般家庭用としては大形に属する２４ｃｍサイズの調理鍋１Ｃ（図６参照）を載せた際に、盆体９０の長軸方向の２箇所が鍋底から側方に突出するサイズでもある。
【００２５】
盆体９０の正面視外形および側面視外形は、盆体９０の周縁部に形成する帯状側面５によって、十分な厚みを有する１枚の板状に見えるように工夫され（図２，図３）、盆体９０の表面は、天然木調に仕上げられている。したがって、十分な高級感を伴っている。ただし、帯状側面５は、盆体９０の長軸方向の両端部の切欠き部５Ｔにおいて、部分的に削除されている。
【００２６】
盆体９０の中央位置には、円形平面形状の中央凹部９が形成されており、中央凹部９の周囲の天面は、中央凹部９の直径を超えるサイズの調理器具１０を載せるための載置面６とされている（図１ないし図５）。なお、中央凹部９の底面には、一定間隔を保って同心に配置した環状の支持リブ８，８…が形成されている。
【００２７】
この支持リブ８は、図１の図示例では、一定間隔を保って同心状に配置した環状とした場合を図示している。しかし、盆体９０が樹脂製であることを考慮し、環状とした支持リブ８は、一定の長さ分を除去した山型あるいは円弧（半球面）型の突起とし、デザイン性も考慮して配列させ、放熱性も向上するよう図っている。すなわち、支持リブ８を山型または半球面型の突起として、調理器具１０の底面側とその突起頂部の円弧（半球面）とが接線接触し、かつ、中央凹部９の底面には調理器具１０の底面全体が直接接触しないようにすることによって、空気の流通と熱傳播の円滑化を図り、盆体１０への影響を避けるようにしている。
【００２８】
中央凹部９の２箇所からは、盆体９０の長軸方向の両端に向かって放物線形状ないし円弧形状の指掛け凹部７，７が湾出している（図１、図４）。この指掛け凹部７，７は、盆体９０の載置面６に載せられた調理器具１０を独立に取り扱う場合において、調理器具１０の裏面側に指先を挿入することができるようにするものである。
【００２９】
２箇所の指掛け凹部７，７は、それぞれ帯状側面５を切り欠いた盆体９０の外周部に向かって浅くなるように形成されている。したがって、指掛け凹部７，７の底面は、斜面になっており、指先を帯状側面５の切欠き部５Ｔ，５Ｔを介して指掛け凹部７，７の裏面側に挿入することができるようになっている。すなわち、この部分が、盆体９０を運び盆として取り扱うための盆体９０自体の取っ手９Ａ，９Ａとされている（図１ないし図４）。
【００３０】
また、盆体９０に載せた調理器具１０を扱うための指掛け凹部７，７と、盆体９０自体を取り扱うための取っ手９Ａ，９Ａとを、盆体９０の同一平面位置に上下に重ねて形成されているのである。したがって、指掛け凹部７，７と取っ手９Ａ，９Ａを個別に設ける必要がなく、盆体９０全体の小型化が達成されている。
【００３１】
なお、中央凹部９の裏面には、環状の脚リブ４が形成され、この脚リブ４と帯状側面５の下端面５Ｂとは、略同一平面上に位置するように位置設定されている（図５）。盆体９０上に調理器具１０が偏って載せられた場合において、帯状側面５によっても、盆体９０の姿勢を維持するためである。また、脚リブ４の外径は、中央凹部９内に不要な遊びを有することなく嵌り込む外径に設定されている（図６）。
【００３２】
この脚リブ４の外径が、中央凹部内に嵌り込むと同時に、帯状側面５の下端面５Ｂは、下位置の盆体９０の肩部５Ｃに被さるように嵌り込む（図５）。従って、高く盆体９０を積み上げても、横（短）方向に安定性があるので、整理整頓が容易である。
【００３３】
すなわち、業務用途等において多数枚の盆体９０，９０を重ね置きする場合においては、上位置の盆体９０の脚リブ４が下位置の盆体９０の中央凹部９に順次に嵌り込むことによって、高く重ねて積み上げることができる。そして、帯状側面５の下端面５Ｂが下位置の肩部５Ｃに被さるように積み上げられ、整った収納状態を実現することができるとともに、重ね置き状態においても取っ手９Ａ，９Ａ部分に指を掛けることができるので、１枚ごと簡単に取り出すことができる。
【００３４】
盆体９０は、一般的な運び盆としても広く活用することが可能であり、盆体９０の中央凹部９の支持リブ８…は、盆体９０を椀１Ｂ等の配膳に使用する際に、椀１Ｂの高台Ｂ１を位置決めすることができて便利である。この支持リブ８…に代えて、多数個の支持突起を円形配置として設ける場合にも、同様である。
【符号の説明】
【００３５】
１０        調理器具
４          脚リブ
５          帯状側面
５Ｂ        帯状側面の下端面
５Ｔ        切欠き部
７          指掛け凹部
８          支持リブ
９０        盆体
９          中央凹部
９Ａ        取っ手
【図１】
2010172443.tif 000003
【図２】
2010172443.tif 000004
【図３】
2010172443.tif 000005
【図４】
2010172443.tif 000006
【図５】
2010172443.tif 000007
【図６】
2010172443.tif 000008